(57)【特許請求の範囲】
【請求項１】
製氷工程に氷を製造する製氷部と、
製氷水を貯える製氷水タンクと、
前記製氷水タンク内の製氷水を供給する供給管と、
前記供給管を介して前記製氷部に製氷水を圧送する製氷水ポンプと、
製氷工程の途中から該製氷工程終了までの間、製氷水を排水する排水手段と、
前記製氷工程終了とほぼ同時に除氷工程を開始させて前記製氷部の除氷を行う除氷手段と、
前記製氷部から落下した製氷水を前記製氷水タンクに案内するガイドとを備え、
前記排水手段は、前記ガイドと前記製氷水タンクとの間に設けられ且つ前記製氷水タンクの貯水部と排水部とに製氷水を振り分けて流すように前記貯水部又は前記排水部に傾くことが可能なガターを有し、
前記ガイドは、動作可能な仕切板を有し、
前記仕切板は、動作することによって、前記ガターが前記貯水部又は前記排水部に傾くように前記ガイドから前記ガターへの製氷水の流下場所を変更することを特徴とする製氷機。
【請求項２】
製氷工程に氷を製造する製氷部と、
製氷水を貯える製氷水タンクと、
前記製氷水タンク内の製氷水を供給する供給管と、
前記供給管を介して前記製氷部に製氷水を圧送する製氷水ポンプと、
製氷工程の途中から該製氷工程終了までの間、製氷水を排水する排水手段と、
前記製氷工程終了とほぼ同時に除氷工程を開始させて前記製氷部の除氷を行う除氷手段とを備え、
前記排水手段は、
前記製氷部と前記製氷水タンクとの間に設けられ且つ前記製氷水タンクの貯水部と排水部とに製氷水を振り分けて流すように動くガターと、
前記ガターに設けられた水タンクと、
前記水タンクに水を供給するウォーターバルブとを有し、
前記水タンクは、水が溜められることによって前記ガターを傾けることを特徴とする製氷機。
【請求項３】
製氷工程に氷を製造する製氷部と、
製氷水を貯える製氷水タンクと、
前記製氷水タンク内の製氷水を供給する供給管と、
前記供給管を介して前記製氷部に製氷水を圧送する製氷水ポンプと、
製氷工程の途中から該製氷工程終了までの間、製氷水を排水する排水手段と、
前記製氷工程終了とほぼ同時に除氷工程を開始させて前記製氷部の除氷を行う除氷手段とを備え、
前記排水手段は、
前記製氷部と前記製氷水タンクとの間に設けられ且つ前記製氷水タンクの貯水部と排水部とに製氷水を振り分けて流すように動き、一方の端部が塞がれた溝状をしたガターと、
前記ガターに連結されて前記ガターの上方で前記ガターを支持する揺動可能な支持用アームと、
駆動用アームを介して前記ガターに連結される駆動手段とを有し、
前記ガターは、前記駆動手段により前記支持用アームと共に移動することによって、前記製氷部から流下する製氷水を遮断したとき前記貯水部又は前記排水部の一方に前記製氷水を案内し、前記製氷部から流下する製氷水を遮断しないとき前記貯水部又は前記排水部の他方に前記製氷水を流下させることを特徴とする製氷機。
【請求項４】
前記ガターの排水部側には、製氷水をためてガターの傾動を助け且つ製氷水の水力を受けてガターの傾きを維持するガードが設けられていることを特徴とする請求項１または２に記載の製氷機。
【発明の詳細な説明】
【０００１】
【発明の属する技術分野】
本発明は、製氷、排水及び除氷の動作を含む製氷機に関するものである。
【０００２】
【従来の技術】
従来より、製氷板を上下方向に立てて配置し、製氷板の表面に製氷水を流して氷を製造するいわゆる流下式製氷機がある。かかる流下式製氷機では、製氷板に流された製氷水のうち氷結に至らなかった分は、製氷水タンクに戻され、再度製氷板へ供給される循環態様が採用されていた。このため、製氷水の循環が進むにつれて製氷水の中に含まれるミネラル分は濃縮され、できあがる氷が白濁する問題がある。よって、従来は、製氷工程の終了毎に製氷水の排水を行う排水工程が実施されていた。また、排水方法については専用の排水ポンプを用いて排水を行っていた。
【０００３】
【発明が解決しようとする課題】
しかしながら、上述した従来の排水態様は、製氷工程と除氷工程との間に排水工程を用意して排水を行っていたため、各工程が一巡するサイクルが長期化する問題があった。
従って、本発明は、各工程が一巡するサイクルを短縮させながら製氷水の排水を行うことができる製氷機を提供することを目的とする。
【０００４】
【課題を解決するための手段】
上述の目的を達成するため、本発明の製氷機は、製氷工程に氷を製造する製氷部と、製氷水を貯える製氷水タンクと、製氷水タンク内の製氷水を製氷部に供給する供給管と、供給管を介して製氷部に製氷水を圧送する製氷水ポンプと、製氷工程の途中から該製氷工程終了までの間、製氷水を排水する排水手段と、製氷工程終了とほぼ同時に除氷工程を開始させて製氷部の除氷を行う除氷手段と、製氷部から落下した製氷水を製氷水タンクに案内するガイドとを備え、排水手段は、ガイドと製氷水タンクとの間に設けられ且つ製氷水タンクの貯水部と排水部とに製氷水を振り分けて流すように貯水部又は排水部に傾くことが可能なガターを有し、ガイドは、動作可能な仕切板を有し、仕切板は、動作することによって、ガターが貯水部又は排水部に傾くようにガイドからガターへの製氷水の流下場所を変更することを特徴とする。
また、本発明の製氷機は、製氷工程に氷を製造する製氷部と、製氷水を貯える製氷水タンクと、製氷水タンク内の製氷水を供給する供給管と、供給管を介して製氷部に製氷水を圧送する製氷水ポンプと、製氷工程の途中から該製氷工程終了までの間、製氷水を排水する排水手段と、製氷工程終了とほぼ同時に除氷工程を開始させて製氷部の除氷を行う除氷手段とを備え、排水手段は、製氷部と製氷水タンクとの間に設けられ且つ製氷水タンクの貯水部と排水部とに製氷水を振り分けて流すように動くガターと、ガターに設けられた水タンクと、水タンクに水を供給するウォーターバルブとを有し、水タンクは、水が溜められることによってガターを傾けることを特徴とする。
また、本発明の製氷機は、製氷工程に氷を製造する製氷部と、製氷水を貯える製氷水タンクと、製氷水タンク内の製氷水を供給する供給管と、供給管を介して製氷部に製氷水を圧送する製氷水ポンプと、製氷工程の途中から該製氷工程終了までの間、製氷水を排水する排水手段と、製氷工程終了とほぼ同時に除氷工程を開始させて製氷部の除氷を行う除氷手段とを備え、排水手段は、製氷部と製氷水タンクとの間に設けられ且つ製氷水タンクの貯水部と排水部とに製氷水を振り分けて流すように動き、一方の端部が塞がれた溝状をしたガターと、ガターに連結されてガターの上方でガターを支持する揺動可能な支持用アームと、駆動用アームを介してガターに連結される駆動手段とを有し、ガターは、駆動手段により支持用アームと共に移動することによって、製氷部から流下する製氷水を遮断したとき貯水部又は排水部の一方に製氷水を案内し、製氷部から流下する製氷水を遮断しないとき貯水部又は排水部の他方に製氷水を流下させることを特徴とする。
また、ガターの排水部側には製氷水をためてガターの傾動を助け且つ製氷水の水力を受けてガターの傾きを維持するガードが設けられていてもよい。
【０００５】
【発明の実施の形態】
以下、この発明の実施の形態を添付図面に基づいて説明する。
実施の形態１．
図１にこの発明の実施の形態１に係る製氷機を示す。また、図２に製氷機の構成を概念的に示す。なお、図１では、後述するガターなどの製氷水振り分けに関する機構の図示を省略している。図１及び図２を参照すると、製氷機１には、製氷部として上下方向に立てて配置される複数の製氷板３が設けられている。この製氷板３の表面には製氷水が流され、裏面には蒸発器である冷却管５が取り付けられている。冷却管５は圧縮機７などと共に冷凍回路９を構成する。それぞれの製氷板３の下方には、製氷板３にて氷結に至らずに落下する製氷水を集める集水樋１１が設けられている。複数の集水樋１１の下方には、全集水樋１１の下流端から落下する製氷水を受けるガイド１３が設けられている。ガイド１３の下方には、製氷水タンク１５が設けられている。製氷水タンク１５の内部は、区画壁１５ａによって貯水部１７と排水部１９とに区分けされている。排水部１９とガイド１３との間には、ガター２１が設けられている。貯水部１７の下部には、貯水部１７内の製氷水を製氷板３に供給する供給管２３の一端が接続されている。供給管２３の他端は、製氷板３上方に設けられている図示しない散水手段に接続されている。供給管２３途中には、製氷水ポンプ２４が設けられている。
【０００６】
次に、ガイド１３やガター２１の周辺部の構造について図３及び図４をもとに説明する。ガター２１は、長方形の底壁２１ａと、その底壁２１ａの長辺から立ち上がる一対の側壁２１ｂとを備えている。ガター２１は、ガイド１３の延長方向とほぼ平行なロッド２５によって回動可能に支持されている。ガター２１はロッド２５の右側部分（図３及び図４においてみて）が左側部分よりも長くなるように構成されており、換言するならガター２１の重心がロッド２５の右側に位置するようになっている。また、底壁２１ａの短辺には側壁がなく、底壁２１ａの右端２１ｃは貯氷部１７の上方に配置されており、左端２１ｄは排水部１９の上方に配置されている。よって、ガター２１は、そこに何ら荷重が作用していない場合には、右端２１ｃが左端２１ｄよりも下方に位置するように水平方向から傾いており、ガター２１のロッド２５の左側部分に一定以上の水圧が作用しない限り、ガター２１に落下した製氷水は、右端２１ｃから貯水部１７に落下するようになっている。ガイド１３の出口１３ａ付近には、製氷水の流れ方向を制御する仕切板２７が回動可能に設けられている。仕切板２７の下流端２７ａの左面には第１のばね２９の一端が取り付けられ、仕切板２７の右面には第２のばね３１の一端が取り付けられている。第１のばね２９の他端にはソレノイド３３が接続されている。仕切板２７は、左右両面に接続されたばね２９，３１の弾性力の釣り合いにより、ソレノイド３３の非作動状態ではガイド１３の延長方向とほぼ同方向を向くようになっている。
【０００７】
次に、以上に説明した製氷機の動作について説明する。製氷工程が始まると、製氷水ポンプ２４が起動し貯水部１７内の製氷水が供給管２３を通って製氷板３の表面に流される。また、圧縮機７が起動し冷却管５内に低温冷媒が流される。これにより、製氷板３の表面には徐々に氷が形成される。製氷板３に流された製氷水のうち氷結に至らなかった分は、製氷板３の下端から集水樋１１に落下し、集水樋１１を流れた後、さらにガイド１３に落下する。ガイド１３に落下した製氷水はガイド１３を流れてガター２１へ落下する。このとき、ガター２１は上記のように左側部分に一定以上の水圧が作用しない限り右端２１ｃが下がっている。よって、ガター２１に落下した製氷水は右端２１ｃから貯水部１７へ落下し、上記のように再度、製氷に供される。製氷工程の前半は、このような製氷水の循環が行われる。尚、図３及び図４、さらに後述する図５及び図６における二点鎖線は水の流れを示す。
【０００８】
次に、製氷板３の温度が所定温度になると排水工程も開始され、ソレノイド３３が図５及び図６に示されるように第１のばね２９を介して仕切板２７を左側へと引っ張る。これにより、仕切板２７は時計方向に回転し、その下流端２７ａがガター２１のロッド２５より左側部分の上方に位置し、上流端２７ｂがガター２１のロッド２５より右側部分に対応する位置へ移動する。よって、ガイド１３を流れる製氷水は、仕切板２７によって左側へと案内されガター２１のロッド２５より左側部分に落下する。そして、ガター２１は、仕切板２７により案内された多量の製氷水の落下による水圧によって、反時計方向（図３、図５においてみて）に回転し、図５及び図６に示されるように左端２１ｄが右端２１ｃよりも下方に下がる。すなわち、ガター２１の重心とロッド２５との位置関係、さらに仕切板２７の位置及び回転範囲は、仕切板２７によって案内された製氷水の落下による水圧でガター２１が回転できるように設定するものとする。ガター２１の上記の回転により、ガター２１に落下した製氷水は、左端２１ｄから排水部１９に落下する。排水部１９には図示しないオバーフロー管が設けられており、排水部１９内の製氷水は、かかるオバーフロー管より装置外へと排水される。このように、本実施の形態においては、製氷工程の後半に排水工程も行われる。排水工程が始まっても、製氷水ポンプ２４及び圧縮機７は稼動しており、製氷水の製氷板３への供給及び冷媒の循環は継続される。また、上記の排水工程は、製氷板３の温度が所定温度になったときから始まり、製氷工程の終了まで継続される。このように、本実施の形態では、排水専用のポンプを設けずに製氷水ポンプを駆動させて排水を行う。よって、時間的に長くない排水工程のためだけに専用の排水ポンプを用意し、使用時間の割にはコストがかかり過ぎるといった問題や、製氷水ポンプが正常でも排水専用のポンプにトラブルが生じてそのために排水が不可能になるといった問題もない。なお、排水工程は、製氷板３の温度を基準に開始する態様には限定されず、製氷水タンク１５の貯水部１７の水位を基準に開始する態様でも良い。
【０００９】
製氷工程の終了（それによって排水工程も終了）とほぼ同時に、除氷手段による除氷が行われる。なお、ガター２１は、製氷工程が終了するとガター２１の重心とロッド２５との位置関係により、右端２１ｃが下がったもとの状態に自然に戻る。本実施の形態では、除氷は、冷却管５へのホットガスの供給により行われる。冷却管５に供給されたホットガスにより、氷は、製氷板３との接触部が僅かに融解して除氷される。このように本実施の形態では、図７のように製氷工程の後半に吐出量が多い製氷水ポンプを用いて排水工程が行われ且つ製氷工程終了直後に除氷工程が開始されるので、従来のように製氷工程終了後に排水工程が始まり、排水工程の終了後に除氷工程が始まる場合よりも、各工程が一巡するサイクルを短縮することができ、製氷量の増大を図ることもできる。なお、除氷手段としては上記のホットガスによる態様に限定されるものではなく、他の態様、例えば除氷水を製氷部３の裏面に流す態様でもよい。
【００１０】
実施の形態２．
図８〜図１１をもとに本発明の実施の形態２に係る製氷機について説明する。実施の形態１では、仕切板２７により製氷水の落下位置を変更し、それによりガター２１を回転させていたが、本実施の形態２では、ウォーターバルブから流出する水を用いてガターを回転させる。すなわち、ガター４１はガイド１３の延長方向とほぼ直交するロッド４５によって回動可能に支持され、ガター４１の第１端４１ａは貯水部１７の上方に位置し、第２端４１ｂは排水部１９の上方に位置する。ガター４１の側壁にはロッド４７が突設されている。ロッド４７には、小タンク４９がロッド４７に対して回動可能に遊嵌されている。小タンク４９は、矩形の底壁と、底壁の各辺から立ち上がる側壁とを備えている。小タンク４９の底壁には、小孔５１が穿設されている。小タンク４９の上方には、小タンク４９に水を供給するウォーターバルブ５３が設けられている。
【００１１】
次に、本実施の形態の動作について説明する。上記実施の形態１と同様な開始終了基準で製氷工程の途中から製氷工程の終了まで以下のようにして排水工程が行われる。排水工程前には、実施の形態１と同様にロッド４５の位置とガター４１の自重位置とのバランスによって第１端４１ａが下方に下がっている。排水工程が開始されると、ウォーターバルブ５３から小タンク４９に放水される。小タンク４９の小孔５１を通過可能な流量は毎分０．５リットル以下であり、ウォーターバルブ５３からの放水量は毎分２〜５リットル程度なので、小タンク４９には水が溜まる。そして、その重さによって、ガター４１は第２端４１ｂの方が第１端４１ａよりも下方に下がるように回転する。これにより、ガイド１３を流れてきた製氷水は、ガター４１に落下した後、第２端４１ｂより排水部１９に流下し、排水される。また、小タンク４９に溜められた水は、小孔５１を介して徐々に貯水部１７に落下し、製氷水として用いられる。排水を停止する場合には、ウォーターバルブ５３からの放水を停止させる。それにより、小タンク４９内の水は小孔５１から徐々に抜けていき、上述したロッド４５の位置とガター４１の自重位置とのバランスによってガター４１は自然に第１端４１ａが下がった位置に戻る。
【００１２】
実施の形態３．
図１２〜図１５をもとに本発明の実施の形態３に係る製氷機について説明する。実施の形態１及び２では、水圧（水の重さも含む）を利用してガターを回転させていたが、本実施の形態３では、モータにより直接回転させる。ガター６１は、排水状態ではない姿勢において、矩形の底壁６１ａと、貯水部１７の上方に位置する辺を除く底壁の３辺から立ち上がる側壁６１ｂとを備えている。ガター６１は、モータ６３の回転軸６５に一体的に固定されている。回転軸６５の先端は、ブラケット６７に支持されている。次に、本実施の形態の動作について説明する。上記実施の形態１及び２と同様な開始終了基準で製氷工程の途中から製氷工程の終了まで以下のようにして排水工程が行われる。排水工程前には、ガイド１３からガター６１に落下する製氷水は、ガター６１の開放端６１ｃから貯水部１７に落下する。一方、排水工程が開始されると、図１４及び図１５に示されるようにモータ６３によってガター６１が回転される。ガター６１の形状に関し、かかる回転前の底壁６１ａはガイド１３の下流端の下方にあり、回転後の側壁６１ｂの高さはガイド１３の先端から排水部１９までの製氷水落下経路に側壁６１ｂが位置しないような高さに設定されている。よって、上記のガター６１の回転後は、ガイド１３から落下する製氷水は２点鎖線で示されるようにガター６１に入ることなく排水部１９まで落下し、排水される。
【００１３】
実施の形態４．
図１６〜図１７をもとに本発明の実施の形態４に係る製氷機について説明する。実施の形態３のモータに代え、本実施の形態４は、ソレノイドでガターを回転させる。ガター７１は、上部が開放され且つ貯水部１７の上方に位置する側部も開放された容器状の部材であり、ブラケット７３により回転可能に支持されている。ガター７１には、上下方向に延長するアーム７５の一端が接続されており、アーム７５の他端にはソレノイド７７が接続されている。ガター７１は、ソレノイド７７の非作動状態においては自重位置及び支持位置のバランスにより開口が上を向くように構成されている。次に、本実施の形態の動作について説明する。上記実施の形態１〜３と同様な開始終了基準で製氷工程の途中から製氷工程の終了まで以下のようにして排水工程が行われる。排水工程前には、ガイド１３からガター７１に落下する製氷水は、ガター７１側部の開放から貯水部１７に落下する。一方、排水工程が開始されると、図１７に示されるようにソレノイド７７が作動し、ガター７１にはアーム７５を介して上向きに引き上げられるような力が作用して回転する。ガター７１は、回転前はガイド１３の下流端から落下する製氷水を受けることができる形状であって、回転後はガイド１３の先端から排水部１９までの製氷水落下経路に当該側部が位置しないような高さの側部を有する形状に設定されている。よって、上記のガター７１の回転後は、ガイド１３から落下する製氷水は２点鎖線で示されるようにガター７１に入ることなく排水部１９まで落下し、排水される。
【００１４】
実施の形態５．
図１８〜図２１をもとに本発明の実施の形態５に係る製氷機について説明する。実施の形態１〜４ではガターを回転させていたが、本実施の形態５ではガターを横移動させ、それによって製氷水の流れる先を変更する。ガター８１は、その上方に配置された支持用アーム８３によって支持される。ガター８１と支持用アーム８３の下部との間は相互に回転可能に接続されている。また、支持用アーム８３もその上部において回転可能に支持されている。ガター８１には、さらに、駆動用アーム８５の一端が接続されており、駆動用アーム８５の他端はソレノイド８７に接続されている。ガター８１と駆動用アーム８５との間もまた相互に回転可能に接続されている。ガター８１は、矩形の底壁８１ａと、貯水部１７の上方に位置する辺を除く底壁の３辺から立ち上がる側壁８１ｂとを備えている。
【００１５】
次に、本実施の形態の動作について説明する。上記実施の形態１〜４と同様な開始終了基準で製氷工程の途中から製氷工程の終了まで以下のようにして排水工程が行われる。排水工程前には、図１８及び図１９に示されるようにガイド１３からガター８１に落下する製氷水は、ガター８１の開放端８１ｃから貯水部１７に落下する。一方、排水工程が開始されると、図２０及び図２１に示されるようにソレノイド８７が作動し、ガター８１には駆動用アーム８５を介して上方に引き上げられる力が付与される。しかしガター８１は支持用アーム８３により支持されているため、この力により支持用アーム８３は揺動し且つガター８１はほぼ回転することなく横方向に移動する。このガター８１の移動態様は、ガイド１３の先端から排水部１９までの製氷水落下経路に底壁８１ａや側壁８１ｂが位置しないようなものに予め設定されている。よって、上記のガター８１の移動後は、ガイド１３から落下する製氷水は２点鎖線で示されるようにガター８１に入ることなく排水部１９まで落下し、排水される。また、排水工程が終了しソレノイド８７が非作動状態となると、支持用アーム８３及び駆動用アーム８５の接続位置と、支持用アーム８３、駆動用アーム８５及びガター８１の各自重位置とのバランスにより、ガター８１はガイド１３から落下する製氷水を受けることができるもとの位置に自然に戻る。
【００１６】
実施の形態６．
図２２をもとに本発明の実施の形態６に係る製氷機について説明する。実施の形態１〜５では排水手段としてガターを設け、ガターを動かして製氷水の流れ先を変更して排水していたが、本実施の形態６ではガターを用いずに、排水を行う。製氷水タンク１５内は貯水部１７だけが設けられており、製氷水タンク１５の上方には上記実施の形態のようなガターは設けられていない。その代わりに、排水手段として供給管２３における製氷水ポンプ２４の下流部に製氷水の排水・循環を切り換える切換え弁９１が設けられている。
【００１７】
次に、本実施の形態の動作について説明する。上記実施の形態１〜５と同様な開始終了基準で製氷工程の途中から製氷工程の終了まで以下のようにして排水工程が行われる。製氷工程の前半、すなわち排水工程前は、切換え弁９１は循環状態にあり、製氷水タンク１５内の製氷水は製氷水ポンプ２４により供給管２３を介して製氷部３に供給される。製氷工程の後半、すなわち排水工程が始まると、切換え弁９１は排水状態となり、製氷水ポンプ２４から吐出された製氷水の全部又は一部は切換え弁９１から分岐されて供給管２３の外へと排水される。そして、製氷工程が終了するとそれとほぼ同時に除氷手段による除氷が行われる。このように本実施の形態では、製氷工程の後半に吐出量が多い製氷水ポンプを用いて排水工程が行われ且つ製氷工程終了直後に除氷工程が開始されるので、従来のように製氷工程終了後に排水工程が始まり、排水工程の終了後に除氷工程が始まる場合よりも、各工程が一巡するサイクルを短縮することができ、製氷量の増大を図ることもできる。また、排水専用のポンプを設けずに製氷水ポンプを駆動させて排水を行うので、排水工程のためだけに専用の排水ポンプを用意し、使用時間の割にはコストがかかり過ぎるといった問題や、製氷水ポンプが正常でも排水専用のポンプにトラブルが生じてそのために排水が不可能になるといった問題もない。
【００１８】
実施の形態７．
実施の形態２のガター４１が貯水部１７に製氷水が流れ落ちるように傾いている場合を図２３に示す。軌跡ｃで示されるように製氷水はガイド１３からガター４１を介して貯水部１７へ流れる。しかし、場合によっては、製氷水がガイド１３からガター４１に流れる落ちるときの水量によってガター４１の動きが不安定になりがたついたり、また、軌跡ａ及びｂで示すように、一部の製氷水が水の勢いやロッド４５に当たって排水部１９に散ってしまうことが考えられる。そこで本実施の形態では、更にガター４１の安定性向上を図ると共に製氷水が排水部１９へ飛散することをより確実に防ぐガター１４１を提供する。
【００１９】
図２４に本実施の形態の構成を示す。但し、ガターの構造以外は実施の形態２と同様であるため、ガターの構造以外の説明をここでは省略する。実施の形態２のガター４１は、底壁の短辺には壁がない。即ち、第２端４１ｂは完全に開放されていたが、本実施の形態のガター１４１の第２端１４１ｂには、上方向に向かう側壁としてガード１４４が設けられている。また、本実施の形態のガター１４１にはウエイト１４３が第１端１４１ａ付近のガター１４１の底壁の製氷水が流れる面の反対面に設けられている。更に、ガター１４１の第１端１４１ａには下方向に向かう側壁１４２が設けられている。
【００２０】
次に、本実施の形態の動作について図２５を用いて説明する。（ａ）はウォーターバルブ５３がまだ動作する前の状態、即ち、製氷水が貯水部１７に流れ込んでいる状態を示している。（ａ）に示すようにウォーターバルブ５３が作動しない限り、ガター１４１は貯水部に傾いている。ガイド１３からガター１４１へ流れ落ちる製氷水の水量が多くとも、ガター１４１にウエイト１４３を設けたことにより、ガター１４１ががたつくことがなくなり、安定性がよい。更にガター１４１にガード１４４を設けたのでガター１４１に落下した製氷水がはねかえり排水部１９へ飛散することを防ぐことができる。
【００２１】
（ｂ）はウォーターバルブ５３が作動した直後の状態、即ち、ガター１４１が排水部１９にやや傾き始めた状態を示している。（ｂ）に示すように、ウォーターバルブ５３が作動すると小タンク４９に水が溜まり、その水の重さによって、今まで貯水部１７に傾いていたガター１４１が反対側の排水部１９に傾き始める。ガター１４１に設けられたガード１４４が製氷水をガード部分に溜める。このため、ウエイト１４３を設けても、傾きのレスポンスがよい。
【００２２】
（ｃ）はガター１４１が完全に排水部１９に傾き、製氷水が排水部１９に流れ込んでいる状態を示している。（ｃ）に示すように、ガイド１３から流れ落ちる製氷水がダガー１４１のガード１４４に当たりながら排水部１９に流れ落ちる。従ってウエイト１４３を設けても、製氷水がガード１４４に当たることにより、水圧でガター１４１の傾きを維持することができる。
尚、ガターのがたつきを防止し、動作を安定させるため、ウエイト１４３を設ける代わりに、ガターのロッド４５よりも貯水部１７側を延長する様態でもよい。
【００２３】
【発明の効果】
以上説明したように、請求項１〜３に記載の本発明の製氷機によれば、サイクル毎の排水を行いながら製氷工程終了とほぼ同時に除氷工程を開始することができるので、各工程が一巡するサイクルを短縮することができ、製氷量の増大を図ることもできる。また、請求項１〜３に記載の本発明の製氷機によれば、上記効果に加え、さらに排水専用のポンプを設けずに製氷水ポンプを駆動させて排水を行うことができる。
また、請求項４に記載の本発明の製氷機によれば請求項１及び２に関する効果に加え、製氷水の水量に関わらずガイドの傾きが安定し、また、製氷水の排水部への飛散を防ぐことができる。
【図面の簡単な説明】
【図１】  本発明の実施の形態１に係る製氷機の製氷板及び製氷水タンク近傍の詳細を示す斜視図である。
【図２】  本発明の実施の形態１に係る製氷機の構成を概念的に示す図である。
【図３】  本発明の実施の形態１に係る製氷機に関し非排水工程におけるガイドやガターの周辺構造を示す正面図である。
【図４】  図３の矢印Ａに関する平面図である。
【図５】  本発明の実施の形態１に係る製氷機に関し排水工程中におけるガイドやガターの周辺構造を示す正面図である。
【図６】  図５の矢印Ｂに関する平面図である。
【図７】  本発明の実施の形態１に係る製氷機に関する１サイクルの各工程関係を示す図である。
【図８】  本発明の実施の形態２に係る製氷機に関し非排水工程におけるガイドやガターの周辺構造を示す斜視図である。
【図９】  本発明の実施の形態２に係る製氷機に関し排水工程中におけるガイドやガターの周辺構造を示す斜視図である。
【図１０】  本発明の実施の形態２に係る製氷機におけるガターの平面図である。
【図１１】  本発明の実施の形態２に係る製氷機におけるガターの側面図である。
【図１２】  本発明の実施の形態３に係る製氷機に関し非排水工程におけるガイドやガターの周辺構造を示す側面図である。
【図１３】  図１２の矢印Ｃに関する平面図である。
【図１４】  本発明の実施の形態３に係る製氷機に関し排水工程中におけるガイドやガターの周辺構造を示す側面図である。
【図１５】  図１４の矢印Ｄに関する平面図である。
【図１６】  本発明の実施の形態４に係る製氷機に関し非排水工程におけるガイドやガターの周辺構造を示す側面図である。
【図１７】  本発明の実施の形態４に係る製氷機に関し排水工程中におけるガイドやガターの周辺構造を示す側面図である。
【図１８】  本発明の実施の形態５に係る製氷機に関し非排水工程におけるガイドやガターの周辺構造を示す側面図である。
【図１９】  図１８の矢印Ｅに関する平面図である。
【図２０】  本発明の実施の形態５に係る製氷機に関し排水工程中におけるガイドやガターの周辺構造を示す側面図である。
【図２１】  図２０の矢印Ｆに関する平面図である。
【図２２】  本発明の実施の形態６に係る製氷機の構成を概念的に示す図である。
【図２３】  本発明の実施の形態２に係る製氷機の製氷水がガターに流れ落ちる様子を示す側面図である。
【図２４】  本発明の実施の形態７に係る製氷機に関し非排水工程におけるガイドやガターの周辺構造を示す斜視図である。
【図２５】  本発明の実施の形態７に関しガターの動作を示す側面図である。
【符号の説明】
３…製氷板（製氷部）、１５…製氷水タンク、１７…貯水部、１９…排水部、２３…供給管、２４…製氷水ポンプ、２１，４１，６１，７１，８１，１４１…ガター、２７…仕切板、４９…小タンク、５３…ウォーターバルブ、６３…モータ、７７，８７…ソレノイド、９１…切換え弁、１４４…ガード。
【図１】
0004776111.tif 000002
【図２】
0004776111.tif 000003
【図３】
0004776111.tif 000004
【図４】
0004776111.tif 000005
【図５】
0004776111.tif 000006
【図６】
0004776111.tif 000007
【図７】
0004776111.tif 000008
【図８】
0004776111.tif 000009
【図９】
0004776111.tif 000010
【図１０】
0004776111.tif 000011
【図１１】
0004776111.tif 000012
【図１２】
0004776111.tif 000013
【図１３】
0004776111.tif 000014
【図１４】
0004776111.tif 000015
【図１５】
0004776111.tif 000016
【図１６】
0004776111.tif 000017
【図１７】
0004776111.tif 000018
【図１８】
0004776111.tif 000019
【図１９】
0004776111.tif 000020
【図２０】
0004776111.tif 000021
【図２１】
0004776111.tif 000022
【図２２】
0004776111.tif 000023
【図２３】
0004776111.tif 000024
【図２４】
0004776111.tif 000025
【図２５】
0004776111.tif 000026